(57)【特許請求の範囲】
【請求項１】
支持部と、
機器取付部材設置部を有する取付部と、
前記支持部及び前記取付部の間に設けた制振部と、を有する固定部材を有する機器であって、
前記制振部は、垂直方向に比して水平方向の振動を低減する又は水平方向に比して垂直方向の振動を低減する波形状を有し、
前記支持部は、
中空円環形状の中空と該支持部の外側とを繋ぐ空隙を有し、
管を有する冷媒流路切換弁を支持し、
前記取付部は、
前記機器取付部材設置部を有し、垂直方向に延在する第二の延在部を有し、
前記機器取付部材設置部に設けた機器取付部を利用して、該第二の延在部が当該機器の壁面、床面又は天面に固定され、
前記第二の延在部は、前記壁面、床面又は天面の側に、凸部を有していることを特徴とする機器。
【請求項２】
前記支持部、前記取付部及び前記制振部を一体形成したことを特徴とする請求項１に記載の機器。
【請求項３】
前記取付部は、
水平方向に延在し、上面視で格子形状を有する第一の延在部を有し、
前記制振部の一部又は全部は、上面視で前記第一の延在部内側に位置していることを特徴とする請求項１又は２に記載の機器。
【請求項４】
前記支持部は、冷媒流路切換弁の外面に係止可能な係止部を有することを特徴とする請求項１乃至３何れか一項に記載の機器。
【発明の詳細な説明】
【技術分野】
【０００１】
本発明は、固定部材及びこれを備えた機器に関する。
【背景技術】
【０００２】
本技術分野の背景技術として、断熱箱体と圧縮機、凝縮装置、減圧装置及び冷却器などから構成される冷媒回路とを備え、この冷媒回路中の冷媒流路を切り換える手段として、冷媒流路切換弁を備える冷蔵庫がある。冷媒流路切換弁の駆動方式としては、その制御性能からモータ駆動式が多く用いられている。（特許文献１，２）
【先行技術文献】
【特許文献】
【０００３】
【特許文献１】特許第３９８９１４３号
【特許文献２】特開２０１２−８３０７８号公報
【発明の概要】
【発明が解決しようとする課題】
【０００４】
モータ駆動式の冷媒弁を冷蔵庫の断熱箱体に取り付けた場合、モータの駆動時に発生する振動が断熱箱体へ伝達され、騒音となって不都合をもたらすという課題があった。
特許文献１の冷蔵庫では、弁装置を断熱箱体に取り付けるための取付金具に、水平方向に所定の弾性を有する連結部を設けることで振動低減を図っている（００６１−００７１，図１４，１５等）。また、取付金具と断熱箱体との間に防振部材としてゴムを介することで振動低減を図っている。
【０００５】
特許文献２の冷蔵庫では、モータによって弁の開閉を行う冷媒流路切換弁を有し、前記冷媒流路切換弁を断熱箱体に固定するための固定部材と断熱箱体との間にゴムなどからなる弾性部材を介することで振動低減を図っている（００３３−００４７，図７等）。
【０００６】
しかし、特許文献１、特許文献２のいずれの例でも、弁装置の固定部材に振動低減のためにゴムなどの弾性部材を追加しているため、部品点数の増加による生産性の悪化やコスト増となってしまう。
【課題を解決するための手段】
【０００７】
上記事情に鑑みてなされた本発明は、支持部と、機器取付部材設置部を有する取付部と、前記支持部及び前記取付部の間に設けた制振部と、を有する固定部材を有する機器であって、前記制振部は、垂直方向に比して水平方向の振動を低減する又は水平方向に比して垂直方向の振動を低減する波形状を有し、前記支持部は、中空円環形状の中空と該支持部の外側とを繋ぐ空隙を有し、管を有する冷媒流路切換弁を支持し、前記取付部は、前記機器取付部材設置部を有し、垂直方向に延在する第二の延在部を有し、前記機器取付部材設置部に設けた機器取付部を利用して、該第二の延在部が当該機器の壁面、床面又は天面に固定され、前記第二の延在部は、前記壁面、床面又は天面の側に、凸部を有していることを特徴とする。
【図面の簡単な説明】
【０００８】
【図１】実施例１の冷蔵庫の正面図
【図２】図１のＸ−Ｘ断面図
【図３】実施例１の冷蔵庫の機械室説明図
【図４】実施例１の冷蔵庫の冷凍サイクル説明図
【図５】実施例１の固定部材の構造を説明する図
【図６】実施例１の冷媒流路切換弁を機械室に取付ける構造を説明する図
【図７】実施例２の冷媒流路切換弁を固定部材に取り付けた状態の斜視図
【図８】実施例３の冷媒流路切換弁を固定部材に取り付けた状態の斜視図
【図９】実施例４の冷媒流路切換弁の斜視図
【発明を実施するための形態】
【０００９】
以下、本発明の実施例を、添付の図面を参照しつつ詳細に説明する。同様の構成要素には同様の符号を付し、また、同一の説明は繰り返さない。
【実施例１】
【００１０】
＜冷媒流路切換弁を用いる機器（冷蔵庫）の構成＞
図１は、冷蔵庫１の正面外形図である。図２は、冷蔵庫１の庫内の構成を表す図１におけるＸ−Ｘ断面図である。
【００１１】
図１に示すように、冷蔵庫１は、上方から、冷蔵室２、製氷室３及び上段冷凍室４、下段冷凍室５、野菜室６を備えている。なお、製氷室３と上段冷凍室４は、冷蔵室２と下段冷凍室５との間に左右に並べて設けている。冷蔵室２及び野菜室６は、およそ３〜５℃の冷蔵温度帯の貯蔵室である。また、製氷室３、上段冷凍室４及び下段冷凍室５は、およそ−１８℃の冷凍温度帯の貯蔵室である。
【００１２】
冷蔵室２は前方側に、左右に分割された観音開き（いわゆるフレンチ型）の冷蔵室扉２ａ、２ｂを備えている。製氷室３、上段冷凍室４、下段冷凍室５、野菜室６は、それぞれ引き出し式の製氷室扉３ａ、上段冷凍室扉４ａ、下段冷凍室扉５ａ、野菜室扉６ａを備えている。また、各扉の貯蔵室側の面には、各扉の外縁に沿うようにシール部材（図示せず）を設けており、各扉の閉鎖時、貯蔵室内への外気の侵入、及び貯蔵室からの冷気漏れを抑制する。
【００１３】
また、冷蔵庫１は、各貯蔵室に設けた扉の開閉状態をそれぞれ検知する扉センサ（図示せず）と、各扉が開放していると判定された状態が所定時間、例えば、１分間以上継続された場合に、使用者に報知するアラーム（図示せず）と、冷蔵室２の温度設定や上段冷凍室４や下段冷凍室５の温度設定をする温度設定器等（図示せず）を備えている。
【００１４】
図２に示すように、冷蔵庫１の庫外と庫内は、外箱１ａと内箱１ｂとの間に発泡断熱材（発泡ポリウレタン）を充填することにより形成される断熱箱体１０により隔てられている。また、冷蔵庫１の断熱箱体１０は複数の真空断熱材２５を実装している。
【００１５】
冷蔵庫１は、上側断熱仕切壁５１により冷蔵室２と、上段冷凍室４及び製氷室３（図１参照、図２中で製氷室３は図示されていない）とが断熱的に隔てられ、下側断熱仕切壁５２により、下段冷凍室５と野菜室６とが断熱的に隔てられている。また、図１中に破線で示すように、下段冷凍室５の上部には、横仕切部５３を設けている。横仕切部５３は、製氷室３及び上段冷凍室４と、下段冷凍室５とを上下方向に仕切っている。また、横仕切部５３の上部には、製氷室３と上段冷凍室４との間を左右方向に仕切る縦仕切部５４を設けている。
【００１６】
横仕切部５３は、下側断熱仕切壁５２前面及び左右側壁前面とともに、下段冷凍室扉５ａの貯蔵室側の面に設けたシール部材（図示せず）を受けて、下段冷凍室５と下段冷凍室扉５ａとの間での気体の移動を抑制する。また、製氷室扉３ａ及び上段冷凍室扉４ａの貯蔵室側の面に設けたシール部材（図示せず）は、横仕切部５３、縦仕切部５４、上側断熱仕切壁５１及び冷蔵庫１の左右側壁前面と接することで、各貯蔵室と各扉との間での気体の移動をそれぞれ抑制する。
なお、製氷室３、上段冷凍室４及び下段冷凍室５は、いずれも冷凍温度帯なので、横仕切部５３及び縦仕切部５４は、各扉のシール部材を受けるために、少なくとも冷蔵庫１の前側にあればよい（図２参照）。すなわち、冷凍温度帯の各貯蔵室間で気体の移動があってもよく、断熱区画しない場合であってもよい。一方、上段冷凍室４を温度切替室とする場合は、断熱区画する必要があるため、横仕切部５３及び縦仕切部５４は、冷蔵庫１の前側から後壁まで延在させる。
【００１７】
冷蔵室扉２ａ、２ｂの貯蔵室内側には、複数の扉ポケット３２が備えられている（図２参照）。また、冷蔵室２は複数の棚３６が設けられている。棚３６により、冷蔵室２は縦方向に複数の貯蔵スペースに区画されている。
【００１８】
図２に示すように、上段冷凍室４、下段冷凍室５及び野菜室６は、それぞれの貯蔵室の前方に備えられた扉と一体に前後方向に移動する収納容器３ｂ、４ｂ、５ｂ、６ｂがそれぞれ設けられている。そして、製氷室扉３ａ、上段冷凍室扉４ａ、下段冷凍室扉５ａ及び野菜室扉６ａは、それぞれ図示しない取手部に手を掛けて手前側に引き出すことにより、収納容器３ｂ、４ｂ、５ｂ、６ｂが引き出せるようになっている。
【００１９】
図２に示すように、本実施形態の冷蔵庫は、冷却手段として蒸発器７を備えている。蒸発器７（一例として、フィンチューブ型熱交換器）は、下段冷凍室５の略背部に備えられた蒸発器収納室８内に設けられている。また、蒸発器収納室８内であって蒸発器７の上方には、送風手段として庫内送風機９（一例として、プロペラファン）が設けられている。
【００２０】
蒸発器７と熱交換して冷やされた空気（以下、蒸発器７で熱交換した低温の空気を「冷気」と称する）は、庫内送風機９によって冷蔵室送風ダクト１１、野菜室送風ダクト（図示せず）、上段冷凍室送風ダクト１２を介して、冷蔵室２、野菜室６、製氷室３、上段冷凍室４、下段冷凍室５の各貯蔵室へそれぞれ送られる。各貯蔵室への送風は、冷蔵室への送風量を制御する冷蔵室ダンパ５６と、野菜室への送風量を制御する野菜室ダンパ（図示せず）と、冷凍温度帯室への送風量を制御する冷凍室ダンパ５７とにより制御される。
【００２１】
＜機械室の構成＞
図３は、機械室１９の内部構成を説明する図である。機械室１９の位置は特に制限されないが、本実施例では冷蔵庫１の下側後方に設けている。また、機械室１９は冷蔵庫１の上部背面側に設けても良い。
【００２２】
図３に示すように、断熱箱体１０の下部背面側には、機械室１９が設けられている。機械室１９には、冷媒を圧縮して吐出する圧縮機２４と、冷媒と空気とを熱交換させる凝縮器６１と、凝縮器６１における冷媒と空気の熱交換を促進させる庫外送風機２６と、細管である減圧手段６３と、冷媒流路切換弁７０と、が配置されている。
【００２３】
なお、圧縮機２４、凝縮器６１、減圧手段６７、および、冷媒流路切換弁７０は、冷却器７や結露防止配管６２と配管で接続され、冷媒が流通する冷媒経路（冷媒回路）が形成されるようになっている。
【００２４】
冷媒流路切替弁７０は、庫外送風機２６による風の流れの下流側に配置すると良い。下流側に配することにより、冷媒流路切替弁７０が風の流れを阻害し、凝縮器６１、圧縮機２４の放熱を悪化させることがなくなるためである。
【００２５】
＜冷媒経路（冷媒回路）＞
次に、本実施例の冷蔵庫１における冷媒経路（冷媒回路）について、図４を参照しながら説明する。
【００２６】
図４に示すように、冷凍サイクルは、冷媒を圧縮する圧縮機２４と、圧縮機２４から送られた冷媒を放熱する放熱手段と、放熱手段から送られた冷媒を減圧する減圧手段であるキャピラリチューブ６７と、キャピラリチューブ６７から送られた冷媒が蒸発して空気を冷却する冷却手段である蒸発器７とが、冷媒が流れる管で順次接続されている。
【００２７】
本実施例では、放熱手段として、機械室１９内に配設された凝縮器６１（一例としてフィンチューブ型熱交換器）、放熱パイプ６２、６３、６４を有する。機械室１９内には庫外送風機２６が配設されており、庫外送風機２６を稼働させることで、凝縮器６１の放熱を促進することができるようになっている。
【００２８】
放熱パイプ６２は、断熱箱体１０の両側面及び天井面の外箱１ａと内箱１ｂとの間であって、外箱１ａ面に接するように配置している。外箱１ａは鋼板製であり外箱１ａ外表面から庫外空気に良好に放熱がなされる。
【００２９】
放熱パイプ６３は、断熱箱体１０の上側断熱仕切壁５１、下側断熱仕切壁５２、横仕切部５３及び縦仕切部５４のそれぞれの内部前方に配置されている。これらの仕切壁（仕切部）は、貯蔵室に接しているため低温であるが、前方部は各貯蔵室の開口縁となるので、外気に接触しやすい。そのため、前方の開口縁表面において、飽和水蒸気量に達して結露が生じるおそれがある。そこで、冷蔵庫１の断熱箱体１０前方開口縁（特に、上側断熱仕切壁５１、下側断熱仕切壁５２、横仕切部５３及び縦仕切部５４の前方部）への結露防止のために、放熱パイプ６３を配している。
【００３０】
機械室１９内には放熱性能制御手段としての冷媒流路切換弁７０が配設されている。放熱パイプ６２の出口部は機械室１９に入り、冷媒流路切換弁７０の入口配管７６に接続されている。冷媒流路切換弁７０は、入口１箇所（７６）と、複数の出口（７７ａ、７７ｂ、７７ｃ、７７ｄ）で形成されており、冷媒流路切換弁７０内部に設けられてパルス制御されるステッピングモータ（不図示）によって、内部の弁体を回動し角度制御することにより、所定の冷媒回路の流路切替を可能とする電動弁である。
【００３１】
＜冷媒流路切換弁７０を固定するための部材＞
次に、冷媒流路切換弁７０を機械室１９に取り付けるための固定部材８０について図５を用いて説明する。図５（ａ）は固定部材８０の斜視図、図５（ｂ）は固定部材８０の上面図である。
【００３２】
固定部材８０は、冷媒流路切換弁７０を支持するための弁支持部８１と、固定部材８０を機械室１９に取付けるための取付部８２と、弁支持部８１と取付部８２との間をつなぐ制振部８３とで構成されている。
【００３３】
弁支持部８１には、中空環状で、外縁が上方に立設している床部８１ａと、空間となっている床部８１ａの中央側領域及び弁支持部８１の外側空間を繋ぐ空隙８８と、床部８１ａ上面に配されたツメ８５と、床部８１ａの立設部分の外周側に一端が接続し、上方に延在している係止ツメ８６と、を有する。
【００３４】
床部８１ａ上面側に冷媒流路切換弁７０を載置でき、さらにツメ８５によって冷媒流路切換弁７０を固定部材８０に支持、固定できる。ツメ８５は、床部８１ａに複数が略等角度の間隔をあけて配されている。
【００３５】
係止ツメ８６は床部に対して垂直方向に延在しており、床部の円環領域より外側に位置している。係止ツメ８６は、後述する冷媒流路切換弁７０のステータ７２外周側面に突出して設けられているリブ７３と接触することによって、周方向の回転止めとしても使用される。ステータ７２外周側面に設ける部材は必ずしもリブ７３でなくてもよく、係止ツメ８６により係止可能な部材であればよい。
【００３６】
弁支持部８１は、床部８１ａ内側の空間と床部８１ａの外側領域とを繋ぐ空隙８８を持つ形状として形成されている。空隙８８を利用することで、冷媒流路切換弁７０のステータ７２側を床部８１ａの上側に位置させるとともに、冷媒流路切換弁７０下面側に設けられている管を床部８１ａの下側に位置させることが容易になる。すなわち、冷媒流路切換弁７０の固定部材８０への取付が容易になり、作業性を改善することができる。
【００３７】
取付部８２は略Ｌ字型の形状をしており、弁支持部８１の外周側に位置し、床部８１ａに対して平行な方向に延在する第一の延在部８２ａと、床部８１ａに対して垂直な方向に延在し、第一の延在部８２ａの一端側に一端側が接続している第二の延在部８２ｂとを有する。第二の延在部８２ｂの他端側の先端付近には、固定部材８０を機械室１９へ固定するための機器取付部材を固定可能な機器取付部材設置部が開口している。本実施例では、機器取付部材及び機器取付部材設置部がネジ及びネジ孔８７であるとして説明する。なお、係止ツメ８６と第二の延在部８２ｂとはそれぞれ、床部８１ａに対して同じ側（本実施例では上方）に延在している。
【００３８】
第一の延在部８２ａは、上面視で格子状の形状である。これにより、強度を確保しながら固定部材８０に使用する材料の低減が図れる。
【００３９】
第二の延在部８２ｂは、弁支持部８１が位置する側と反対側の面に、リブ等の凸部を有している。これにより、固定部材８０を機械室１９の壁面等に取付けたとき、第二の延在部８２ｂの面全体が壁面に接することを抑制し、振動の伝搬を抑制できる。
【００４０】
第一の延在部８２aを設けることにより、第二の延在部８２ｂを弁の投影上から左右方向にずらした位置に設定できる。これにより、後述する制振部８３を設けるためのスペースを確保することができるようになると共に、冷媒流路切替弁７０の下部に設けられているパイプを弁の投影上のスペースを用いて、最短距離で配置することが可能となる。
【００４１】
制振部８３は、弁支持部８１と取付部８２との間に設けられている。制振部８３は弁支持部８１、取付部８２と一体で形成されており、波形状をしている。制振部８３の波状形状としては、例えばＵ字状、Ｓ字状、Ｖ字状、Ｗ字状や、これらを複数組み合わせた形状にできる。このような波形状を採用することによって、冷媒流路切換弁７０が駆動する際の振動に伴い、その形状を変形することができ、弁支持部８１から取付部８２への振動伝搬を抑制することができ、冷蔵庫１へ伝播する振動を低減することができる。
【００４２】
弁支持部８１及び取付部８２は複数の制振部８３で繋がっており、第一の延在部８２ａの格子状領域の一部には、一の制振部８３の一部又は全部を設けることができる。これにより、制振部８３の設置スペースを確保しつつ固定部材８０を小型化できる。第一の延在部８２ａに設けられた制振部８３は、第一の延在部８２ａの端部ではなく内側に位置している。また、この制振部８３の水平方向両側に、それぞれ別の制振部８３が設けられている。この別の制振部８３はそれぞれ、第一の延在部８２ａの格子形状の外縁に接続している。
【００４３】
本実施例の制振部８３の波形状は、水平方向に可動しやすい構造である。具体的には、上面視で波形状を観察可能である。冷媒流路切換弁７０に搭載されたステッピングモータの回転によって起こる振動が、垂直方向の成分に比して水平方向の成分が強い場合、このような構造をとることによって、冷蔵庫１への振動伝搬を抑制しやすい構造とすることができる。例えば、ステッピングモータによって床面と略平行な方向に回転する部材がある場合に、このような構成にすると好ましい。
【００４４】
また、固定部材８０の材料としては、合成樹脂材料で形成することが望ましい。例えば、ポリプロピレン、ＡＢＳ樹脂、アクリロニトリルを用いることができる。このような合成樹脂材料を採用することにより、弁支持部８１、制振部８３、取付部８２を一体の部品として形成することが容易となり、部品点数を増やすことなく、軽量で安価な構造とすることができる。
【００４５】
＜冷媒流路切換弁７０の冷蔵庫１への取り付け＞
図６は、固定部材８０に冷媒流路切換弁７０を設置した状態を示す斜視図である。冷媒流路切換弁７０は、上面側にステッピングモータを有してステータ７２に覆われており、また、下面から複数の管７６，７７が下方に延在している。管７６，７７は上述した空隙８８を通すことで、冷媒流路切換弁７０の取付を容易に行うことができる。
【００４６】
ステータ７２は、底面にツメ８５を、側面に係止ツメ８６を係止可能な凹部又は凸部を有している。冷媒流路切換弁７０を床部８１ａに載置して、ツメ８５と係止ツメ８６を用いて固定した後、ネジ７５等を機械室１９壁面及びネジ孔８７に挿通して、冷蔵庫の機械室１９壁面の所定の位置へと固定する。固定部材８０によって冷媒流路切換弁７０を冷蔵庫１に固定することにより、冷蔵庫の製造時、搬送時及び使用時の各状態において、冷媒流路切換弁７０の姿勢を冷媒流路切換弁７０本体の下部に入口配管７６、出口配管７７ａ、７７ｂ、７７ｃ、７７ｄが位置する状態で維持することができる。ネジ７５としては、段付ネジ（図示せず）を使用しても良い。段付ネジを使用することによって、断熱箱体１０への振動をより低減することが可能となる。
【００４７】
次に、冷媒流路切換弁７０の下方から伸びている入口配管７６、出口配管７７ａ、７７ｂ、７７ｃ、７７ｄを、断熱箱体１０から伸びている放熱パイプ６２、６３、６４、ドライヤ４１ａ、４１ｂと接続し、溶接する。次に、ステッピングモータ用の配線（図示せず）を接続し、冷媒流路切換弁７０の取り付けが完了する。
【００４８】
上記構成の冷蔵庫１における冷媒流路切換弁７０の取り付け構造であると、冷媒流路切換弁７０が、弾性形状をもった固定部材８０によって取り付けられているため、ステッピングモータの振動が固定部材８０を介して断熱箱体１０に伝達されるのを抑制でき、騒音低減することができる。特に固定部材８０が合成樹脂で形成されている場合、金属製と比べて材料の剛性が小さいので、振動に合わせて変形することができ、モータの振動伝達を抑制できる。
【００４９】
また、固定部材８０の材料に合成樹脂材料を用いることにより、弁支持部８１、制振部８３、取付部８２を一体で形成することができるようになり、固定のための部品点数を減らすことができる。このため、材料費、組立作業性を改善することができ、安価な構造を提供することができる。
【実施例２】
【００５０】
本発明の実施例２について、図７を用いて説明する。図７（ａ）は実施例２の固定部材８０に冷媒流路切換弁７０を取付けた状態の斜視図、図７（ｂ）は上面図である。実施例２は、以下の点を除き実施例１と同様にできる。
冷媒経路（冷媒回路）の構成によっては、冷媒経路中に２つの冷媒流路切換弁７０を配置する場合がある。本実施例２の冷蔵庫では、一つの固定部材８０に２つの冷媒流路切換弁７０ａ、７０ｂを配置することを特徴としている。固定部材８０の第一の延在部の左右両側にそれぞれ弁支持部８１ａ、８１ｂを設けている。左右の弁支持部８１ａ、８１ｂはそれぞれ弾性形状をもった制振部８３ａ、８３ｂにより、中央の取付部８２とつながっている。
【００５１】
このような形態を取ることにより、２つの冷媒流路切換弁７０ａ、７０ｂを配置する際に、一つの固定部材８０で固定することできるため、部品点数を低減して断熱箱体１０へと固定することができ、設置スペースを広げることなく、冷媒流路切換弁を配設することが可能となる。また、冷媒流路切換弁７０ａ、７０ｂのそれぞれに対して、弾性形状をもった制振部８３ａ、８３ｂを設けていることで、モータの振動伝搬を抑制することができる。
【実施例３】
【００５２】
本発明の実施例３について、図８を用いて説明する。実施例３は、以下の点を除き実施例１，２と同様にできる。実施例３では、固定部材８０の制振部８３の波形状を垂直方向に振動しやすい構造になるよう構成している。具体的には、波形状を固定部材８０の側面視で観察可能である。冷媒流路切換弁７０の垂直方向の振動成分が大きい場合、振動方向に合わせて本実施例のような構造を取ることにより、振動を抑制することができる。
【実施例４】
【００５３】
本発明の実施例４について、図９を用いて説明する。実施例４は、以下の点を除き実施例１〜３と同様にできる。実施例４では、第二の延在部８２ｂに制振部８３の一端を設け、他端をステータ７２に設けている。このような構造を取ることにより、固定のための部品点数を少なくすることができ、且つ、幅方向の設置スペースを低減することができる。また、ステータに弾性をもった制振部８３を設けることにより、モータの振動伝搬を抑制する構造とすることができる。
【符号の説明】
【００５４】
１  冷蔵庫
２  冷蔵室（冷蔵温度帯室）
３  製氷室（冷凍温度帯室）
４  上段冷凍室（冷凍温度帯室）
５  下段冷凍室（冷凍温度帯室）
６  野菜室（冷蔵温度帯室）
７  蒸発器（冷却手段）
８  蒸発器収納室
９  庫内送風機（送風手段）
１０  断熱箱体
１１  冷蔵室送風ダクト
１２  上段冷凍室送風ダクト
１３  仕切部材
１７  冷凍室戻り口
１８  野菜室戻りダクト
１８ａ  野菜室戻りダクト出口
１９  機械室（圧縮機収納室）
２４  圧縮機
２５  真空断熱材
２６  庫外送風機
４１  ドライヤ
５１  上側断熱仕切壁
５２  下側断熱仕切壁
５３  横仕切部
５４  縦仕切部
５６  冷蔵室ダンパ
５７  冷凍室ダンパ
６０  放熱手段
６１  凝縮器
６２、６３、６４、６５  放熱パイプ
６７  キャピラリチューブ（減圧手段）
６９  分岐パイプ
７０  冷媒流路切換弁（放熱性能制御手段）
７２  ステータ
７３  位置決めのリブ
７５  固定用ネジ
７６  入口配管
７７  出口配管
８０  固定部材
８１  弁支持部
８２  取付部
８３  制振部
８５  ツメ
８６  係止ツメ
８８  空隙
【図１】
0006514974.tif 000002
【図２】
0006514974.tif 000003
【図３】
0006514974.tif 000004
【図４】
0006514974.tif 000005
【図５】
0006514974.tif 000006
【図６】
0006514974.tif 000007
【図７】
0006514974.tif 000008
【図８】
0006514974.tif 000009
【図９】
0006514974.tif 000010